(57)【要約】【課題】浴室内空気を迅速に加熱加湿でき、起動時間の短い浴室サウナ装置を提供することを目的とする。【解決手段】浴室内の空気を加熱加湿するサウナユニット本体１と、浴室を形成する面に温水を噴射する温水噴射ノズル１７を備えている。サウナユニット本体１によって浴室内空気の加熱加湿が開始されると同時に、温水噴射ノズル１７から浴室の床面及び側壁面に一定時間温水が噴射される。これにより加熱加湿手段によって浴室に供給される熱が、側壁面、床面、天井面等の浴室を形成する面の温度上昇に消費されたり、加熱加湿手段によって浴室に供給される水蒸気が側壁面、床面、天井面等の浴室を形成する面に結露することを大幅に減少させることができるので、浴室内空気を迅速に加熱加湿することができ、起動時間が短かい浴室サウナ装置が得られる。【選択図】図１
2005278782.tif 000002
【特許請求の範囲】
【請求項１】
浴室内の空気を加熱及び加湿する加熱加湿手段と、浴室を形成する面に温水を噴射する少なくとも一個の温水噴射手段を備え、前記加熱加湿手段による浴室内空気の加熱及び加湿の開始前から開始後にわたる任意の一定期間において、任意の一定時間前記温水噴射手段から温水を噴射すること特徴とする浴室サウナ装置。
【請求項２】
温水噴射手段の少なくとも一個が、浴室内に設置されたシャワーであることを特徴とする請求項１に記載の浴室サウナ装置。
【請求項３】
温水噴射手段へ温水を供給する温水供給管を備え、前記温水供給管により浴室を形成する面を加熱することを特徴とする請求項１または２に記載の浴室サウナ装置。
【請求項４】
温水を噴射する時間を変化させる噴射時間可変手段を備えたことを特徴とする請求項１、２、または３に記載の浴室サウナ装置。
【請求項５】
浴室を形成する面の温度を検知する温度検知手段を備え、前記温度検知手段が検知した加熱加湿手段による浴室内空気の加熱及び加湿の開始前における浴室を形成する面の温度に応じて、温水を噴射する時間を噴射時間可変手段によって変化させることを特徴とする請求項４に記載の浴室サウナ装置。
【請求項６】
温水の噴射量を変化させる噴射量可変手段を備えたことを特徴とする請求項１、２、または３に記載の浴室サウナ装置。
【請求項７】
浴室を形成する面の温度を検知する温度検知手段を備え、前記温度検知手段が検知した加熱加湿手段による浴室内空気の加熱及び加湿の開始前における浴室を形成する面の温度に応じて、温水の噴射量を噴射量可変手段によって変化させることを特徴とする請求項６に記載の浴室サウナ装置。
【請求項８】
噴射する温水の温度を変化させる噴射温度可変手段を備えたことを特徴とする請求項１、２、または３に記載の浴室サウナ装置。
【請求項９】
浴室を形成する面の温度を検知する温度検知手段を備え、前記温度検知手段が検知した加熱加湿手段による浴室内空気の加熱及び加湿の開始前における浴室を形成する面の温度に応じて、噴射する温水の温度を噴射温度可変手段によって変化させることを特徴とする請求項８に記載の浴室サウナ装置。
【請求項１０】
どの温水噴射手段から温水を噴射させるかを任意に選択する選択手段を備えたことを特徴とする請求項１、２、または３に記載の浴室サウナ装置。
【請求項１１】
浴室を形成する面の温度を検知する温度検知手段を備え、前記温度検知手段が検知した加熱加湿手段による浴室内空気の加熱及び加湿の開始前における浴室を形成する面の温度に応じて、どの温水噴射手段から温水を噴射させるかを選択手段によって任意に選択することを特徴とする請求項１０に記載の浴室サウナ装置。
【請求項１２】
浴室を形成する面の温度を検知する温度検知手段を備え、前記温度検知手段が検知した加熱加湿手段による浴室内空気の加熱及び加湿の開始前における浴室を形成する面の温度があらかじめ設定した温度よりも低い場合に、温水噴射手段から温水を噴射することを特徴とする請求項１、２、または３に記載の浴室サウナ装置。
【請求項１３】
温水噴射手段から温水を噴射するか否かを、加熱加湿手段による浴室内空気の加熱及び加湿の開始前及び開始後における任意の時間において使用者が選択可能であることを特徴とする請求項１、２、３、４、５、６、７、８、９、１０、１１、または１２に記載の浴室サウナ装置。
【請求項１４】
浴室内空気の温度を検知する空気温度検知手段を備え、加熱加湿手段による浴室内空気の加熱及び加湿の開始後、前記空気温度検知手段が検知した浴室内空気の温度があらかじめ設定された温度に達すると、温水噴射手段からの温水の噴射を停止することを特徴とする請求項１、２、３、４、５、６、７、８、９、１０、１１、１２または１３に記載の浴室サウナ装置。
【発明の詳細な説明】
【技術分野】
【０００１】
本発明は、浴室やシャワー室内を加熱及び加湿することでサウナとして使用するための浴室サウナ装置に関するものである。
【背景技術】
【０００２】
近年、浴室やシャワー室等に設置し、浴室やシャワー室そのものをサウナルームとして使用可能とする浴室サウナ装置が注目されており、種々の方式のものが提案されている。
【０００３】
従来、この種の浴室サウナ装置には、浴室側壁内部に設置され、ボイラーなどの熱源を利用して加熱、加湿を行うものが知られている。（例えば、特許文献１参照）
図１０は、従来の技術による浴室サウナ装置の設置状況を示す概略図である。図１０に示すように、サウナユニット本体１０１は浴室を形成するユニットバスルーム１０２のカウンター部１０３内に設置されている。
【０００４】
図１１は、従来の技術による浴室サウナ装置の内部構造の概略を示す要部断面図である。図１１に示すように、サウナユニット本体１０１は外装体１０４を備え、この外装体１０４の前面中央部には、外部から空気を吸入する空気吸入口１０５が、またその下部にはスチーム吹出口１０６がそれぞれ開口されている。
【０００５】
さらに、外装体１０４の内部において、複数の湯噴出口１０７を有する噴出湯管１０８が上部に配置され、噴出湯管１０８の下部に複数の薄板１０９とパイプ状の連結部材１１０で構成される熱交換促進部材１１１が配置され、更にその下部にファンユニット１１２が配置されている。湯噴出口１０７から熱交換促進部材１１１上に噴出された温水の一部が蒸発して発生する水蒸気を、ファンユニット１１２によって空気吸入口１０５から吸引された空気に供給し、スチーム吹出口１０６からユニットバスルーム１０２内に吹き出させるようになっている。このように吹き出された加熱加湿空気がユニットバスルーム１０２に満たされることによって、ユニットバスルーム１０２内がサウナとして利用できるようになる。熱交換後の温水はドレンパン１１３に集められ、外部へ排水される。
【特許文献１】特開平６−６３１０３号公報
【発明の開示】
【発明が解決しようとする課題】
【０００６】
しかしながら、浴室サウナ装置の起動前及び起動直後においてはユニットバスルーム１０２の側壁面、床面、天井面等の温度が低いため、上記のような従来の技術による浴室サウナ装置では、スチーム吹出口１０６から吹き出される空気の保有する熱が、ユニットバスルーム１０２の側壁面、床面、天井面等の温度上昇に消費されたり、スチーム吹出口１０６から吹き出される空気に含まれる水蒸気が、ユニットバスルーム１０２の側壁面、床面、天井面等に結露するために、起動時間、すなわちサウナとして利用するのに好適な条件までユニットバスルーム１０２内の空気を加熱及び加湿するのに要する時間が長いという課題があった。特に、冬季など浴室外温度が低い条件では、側壁面、床面、天井面等のユニットバスルーム１０２を形成する面の温度が特に低いためその傾向が顕著であり、大きな課題となっていた。
【０００７】
本発明はこのような従来の課題を解決するものであり、浴室内空気を迅速に加熱加湿でき、起動時間の短い浴室サウナ装置を提供することを目的としている。
【課題を解決するための手段】
【０００８】
本発明の浴室サウナ装置は上記目的を達成するために、浴室内の空気を加熱及び加湿する加熱加湿手段と、浴室を形成する面に温水を噴射する少なくとも一個の温水噴射手段を備え、加熱加湿手段による浴室内空気の加熱及び加湿の開始前から開始後にわたる任意の一定期間において、任意の一定時間温水噴射手段から温水を噴射すること特徴とするものである。
【０００９】
これにより、加熱加湿手段による浴室内空気の加熱及び加湿の開始前から開始後にわたる任意の一定期間において、側壁面、床面、天井面等の浴室を形成する面に任意の一定時間温水を噴射して加熱することで、加熱加湿手段によって浴室に供給される熱が、側壁面、床面、天井面等の浴室を形成する面の温度上昇に消費されたり、加熱加湿手段によって浴室に供給される水蒸気が側壁面、床面、天井面等の浴室を形成する面に結露することを大幅に減少させることができるので、浴室内空気を迅速に加熱加湿することができ、起動時間が短かい浴室サウナ装置が得られる。
【００１０】
また本発明の浴室サウナ装置は、温水噴射手段の少なくとも一個が、浴室内に設置されたシャワーであることを特徴とするものである。
【００１１】
これにより、既存の浴室設備であるシャワーを温水の噴射に有効利用することで、浴室内空気を迅速に加熱加湿することができ、一層起動時間が短かく、かつ取付工事費および材料費の低減も可能な浴室サウナ装置が得られる。
【００１２】
また本発明の浴室サウナ装置は、温水噴射手段へ温水を供給する温水供給管を備え、温水供給管により浴室を形成する面を加熱することを特徴とするものである。
【００１３】
これにより、温水供給管内を流れる温水の保有する熱を、浴室を形成する面に伝熱して加熱することで、加熱加湿手段によって浴室に供給される熱が、側壁面、床面、天井面等の浴室を形成する面の温度上昇に消費されたり、加熱加湿手段によって浴室に供給される水蒸気が側壁面、床面、天井面等の浴室を形成する面に結露することを大幅に減少させることができるので、浴室内空気を迅速に加熱加湿することができ、起動時間が短かい浴室サウナ装置が得られる。
【００１４】
また本発明の浴室サウナ装置は、温水を噴射する時間を変化させる噴射時間可変手段を備えたことを特徴とするものである。
【００１５】
これにより、温水噴射時間を適宜に設定できるので、浴室内空気をより迅速に加熱加湿することができ、起動時間が短かい浴室サウナ装置が得られる。
【００１６】
また本発明の浴室サウナ装置は、浴室を形成する面の温度を検知する温度検知手段を備え、温度検知手段が検知した加熱加湿手段による浴室内空気の加熱及び加湿の開始前における浴室を形成する面の温度に応じて、温水を噴射する時間を噴射時間可変手段によって変化させることを特徴とするものである。
【００１７】
これにより、加熱加湿手段による浴室内空気の加熱及び加湿の開始前における浴室を形成する面の温度条件に応じて最適な温水噴射時間を設定できるので、浴室内空気をより迅速に加熱加湿することができ、起動時間が短かい浴室サウナ装置が得られる。
【００１８】
また本発明の浴室サウナ装置は、温水の噴射量を変化させる噴射量可変手段を備えたことを特徴とするものである。
【００１９】
これにより、温水噴射量を適宜に設定できるので、浴室内空気をより迅速に加熱加湿することができ、起動時間が短かい浴室サウナ装置が得られる。
【００２０】
また本発明の浴室サウナ装置は、浴室を形成する面の温度を検知する温度検知手段を備え、温度検知手段が検知した加熱加湿手段による浴室内空気の加熱及び加湿の開始前における浴室を形成する面の温度に応じて、温水の噴射量を噴射量可変手段によって変化させることを特徴とするものである。
【００２１】
これにより、加熱加湿手段による浴室内空気の加熱及び加湿の開始前における浴室を形成する面の温度条件に応じて最適な温水噴射量を設定できるので、浴室内空気をより迅速に加熱加湿することができ、起動時間が短かい浴室サウナ装置が得られる。
【００２２】
また本発明の浴室サウナ装置は、噴射する温水の温度を変化させる噴射温度可変手段を備えたことを特徴とするものである。
【００２３】
これにより、噴射する温水の温度を適宜に設定できるので、浴室内空気をより迅速に加熱加湿することができ、起動時間が短かい浴室サウナ装置が得られる。
【００２４】
また本発明の浴室サウナ装置は、浴室を形成する面の温度を検知する温度検知手段を備え、温度検知手段が検知した加熱加湿手段による浴室内空気の加熱及び加湿の開始前における浴室を形成する面の温度に応じて、噴射する温水の温度を噴射温度可変手段によって変化させることを特徴とするものである。
【００２５】
これにより、加熱加湿手段による浴室内空気の加熱及び加湿の開始前における浴室を形成する面の温度条件に応じて最適な温水の噴射温度を設定できるので、浴室内空気をより迅速に加熱加湿することができ、起動時間が短かい浴室サウナ装置が得られる。
【００２６】
また本発明の浴室サウナ装置は、どの温水噴射手段から温水を噴射させるかを任意に選択する選択手段を備えたことを特徴とするものである。
【００２７】
これにより、どの温水噴射手段から温水を噴射させるかを適宜に設定できるので、浴室内空気をより迅速に加熱加湿することができ、起動時間が短かい浴室サウナ装置が得られる。
【００２８】
また本発明の浴室サウナ装置は、浴室を形成する面の温度を検知する温度検知手段を備え、温度検知手段が検知した加熱加湿手段による浴室内空気の加熱及び加湿の開始前における浴室を形成する面の温度に応じて、どの温水噴射手段から温水を噴射させるかを選択手段によって任意に選択することを特徴とするものである。
【００２９】
これにより、加熱加湿手段による浴室内空気の加熱及び加湿の開始前における浴室を形成する面の温度条件に応じて、どの温水噴射手段から温水を噴射させるかを最適に設定できるので、浴室内空気をより迅速に加熱加湿することができ、起動時間が短かい浴室サウナ装置が得られる。
【００３０】
また本発明の浴室サウナ装置は、浴室を形成する面の温度を検知する温度検知手段を備え、温度検知手段が検知した加熱加湿手段による浴室内空気の加熱及び加湿の開始前における浴室を形成する面の温度があらかじめ設定した温度よりも低い場合に、温水噴射手段から温水を噴射することを特徴とするものである。
【００３１】
これにより、加熱加湿手段による浴室内空気の加熱及び加湿の開始前における浴室を形成する面の温度が所定の温度よりも低い場合にのみ温水噴射手段から温水を噴射するので、浴室内空気を迅速に加熱加湿することができ、起動時間が短かく、かつより経済的な浴室サウナ装置が得られる。
【００３２】
また本発明の浴室サウナ装置は、温水噴射手段から温水を噴射するか否かを、加熱加湿手段による浴室内空気の加熱及び加湿の開始前及び開始後における任意の時間において使用者が選択可能であることを特徴とするものである。
【００３３】
これにより、浴室サウナ装置の使用者が必要とする場合にだけ温水を噴射することができるので、浴室内空気を迅速に加熱加湿することができ、起動時間が短かく、より経済的な浴室サウナ装置が得られる。
【００３４】
また本発明の浴室サウナ装置は、浴室内空気の温度を検知する空気温度検知手段を備え、加熱加湿手段による浴室内空気の加熱及び加湿の開始後、空気温度検知手段が検知した浴室内空気の温度があらかじめ設定された温度に達すると、温水噴射手段からの温水の噴射を停止することを特徴とするものである
これにより、噴射する温水の使用量を必要最小限にできるので、浴室内空気を迅速に加熱加湿することができ、起動時間が短かく、より経済的な浴室サウナ装置が得られる。
【発明の効果】
【００３５】
本発明によれば、浴室内空気を迅速に加熱加湿することができる浴室サウナ装置が得られる。これにより、起動時間を短くすることができる。
【発明を実施するための最良の形態】
【００３６】
以下、本発明の実施の形態について図面とともに説明する。なお、図１０に示す従来の技術による浴室サウナ装置の設置状況における浴室内の構成と同一のものは同一番号を用いて説明する。
【００３７】
（実施の形態１）
以下、本発明の実施の形態１について図面とともに説明する。
【００３８】
図１は本発明の実施の形態１に係る浴室サウナ装置の構成図である。図１に示すように、浴室内の空気を加熱及び加湿する加熱加湿手段であるサウナユニット本体１は、外装体２、空気を加熱加湿する加湿部３、加湿部３に温水を循環する加湿温水回路４、浴室内の空気を吸入し加湿部３へと送り、加湿部３により加熱加湿された空気を浴室内に送風するための送風機５、浴室内の空気をサウナユニット本体１に導入するための吸込み口６、加湿部３により加熱加湿された空気を浴室内に排出するための吹出し口７、加湿温水回路４内の温水を循環するためのポンプ８、加湿温水回路４上で温水を貯留するためのタンク９、熱源である給湯器１０からの温水と加湿温水回路４内の温水との間で熱交換を行い加湿温水回路４内の温水を加熱する熱交換器１１、装置全体を制御する制御部１２を備えている。またタンク９には、タンク９に水を供給するための給水管１３、タンク９内の水位を検出するための水位センサー１５が設けられており、さらに給水管１３には、タンク９に供給する水を遮断するための給水弁１４が設けられている。給湯器１０と熱交換器１１は、加熱温水回路１６により配管接続されており、この加熱温水回路１６の内部を、給湯器１０によって供給される温水が給湯器１０と熱交換器１１の間で循環している。また、温水を噴射する温水噴射手段である少なくとも一個の温水噴射ノズル１７（本実施の形態では四個）が、温水供給管１８によって給湯器１０と配管接続されており、温水供給管１８を介して給湯器１０から温水噴射ノズル１７へ温水が供給される。温水供給管１８には、給湯器１０から供給される温水を遮断する温水遮断弁１９が設けられている。また、図中２０は、使用者が浴室サウナ装置を操作するための操作パネル、図中２１はユニットバスルーム１０２内の空気の温度を検知する空気温度検知手段としての空気温度センサーである。
【００３９】
サウナユニット本体１は、図２に示すように、浴室を形成するユニットバスルーム１０２の天井面２２に設置され、吸込み口６と吹出し口７がユニットバスルーム１０２に対して開口している。また、温水噴射ノズル１７は、ユニットバスルーム１０２のカウンター部１０３、天井面２２、浴槽２３のバスエプロン部２４に設置されており、ユニットバスルーム１０２を形成する面である側壁面２５及び床面２６へ温水を噴射する。また、空気温度センサー２１が吸込み口６に設けられている。
【００４０】
図３は、本発明の実施の形態１に係る浴室サウナ装置における加湿部の要部断面図である。図３に示すように、加湿部３は、透湿性を有する多孔性材料を管状に形成した中空糸２７を複数束ね、略円筒形状のケーシング２８内に収納し、その両端部において、中空糸２７の内側と外側が連通しないように複数の中空糸２７の間をエポキシなどの樹脂２９により封止してある。ケーシング２８には、中空糸２７の内側の流路に空気を供給するための空気導入部３０、中空糸２７内側の流路から空気を排出するための空気排出部３１、中空糸２７の外側でケーシング２８の内側に温水を供給するための温水導入部３２、中空糸２７の外側でケーシング２８の内側を流通してきた温水を加湿部３の外部へと排出するための温水排出部３３が設けられている。加湿部３は、温水導入部３２と温水排出部３３において加湿温水回路４と配管接続されている。また、吸込み口６から送風機５によってサウナユニット本体１内に導入されたユニットバスルーム１０２内の空気は、空気導入部３０から中空糸２７の内側の流路に供給され、その後空気排出部３１を通過して吹出し口７からユニットバスルーム１０２内へ排出される。
【００４１】
以上のような構成を有する、本実施の形態の浴室サウナ装置の基本的な動作は次のようなものである。
【００４２】
加湿温水回路４内部の温水はポンプ８によって循環され、熱交換器１１において給湯器１０から循環供給される加熱温水回路１６内部の温水との間で熱交換されて所定の温度まで加熱される。こうして加熱された加湿温水回路４内部の温水は加湿部３の温水導入部３２より加湿部３内へ供給され、中空糸２７の外側でケーシング２８の内側の流路を通過する。この時、透湿性を有する中空糸２７の内側の空気流路側へ水蒸気が移行する。残りの温水は加湿部３を通過し、加湿温水回路４を循環する。一方、ユニットバスルーム１０２内の空気は空気導入部３０から送風機５によって加湿部３に供給され、中空糸２７内側の流路を通過する。この時、中空糸２７の外側から移行してきた水蒸気によって空気は加湿されるとともに、中空糸２７の外側を通過する温水との熱交換によって加熱される。そして、空気排出部３１を通過して吹出し口７から加熱加湿された空気がユニットバスルーム１０２に吹き出される。こうしてユニットバスルーム１０２内の空気は、サウナ浴に適した温湿度条件、すなわち温度が４０〜５０℃程度、相対湿度が７０％以上程度に加熱加湿され、ユニットバスルーム１０２内は高温高湿のサウナ空間となる。
【００４３】
加湿温水回路４内の温水は、加湿部３において熱交換を行うことで、加湿部３を通過する前よりも低い温度で排出され、タンク９、ポンプ８を経て熱交換器１１に供給される。ここで所定の温度まで加熱された後、再び加湿部３に供給される。
【００４４】
加湿部３において加湿温水回路４内の温水が水蒸気として空気に供給されるため、タンク９内に貯留された温水の水量は徐々に低下する。タンク９内の温水の水量が一定以下の量となると、水位センサー１５がそれを検知し、その信号に基づいて制御部１２が給水弁１４を開くことで給水管１３より市水を供給して、タンク９内の温水が無くならないようにしている。
【００４５】
このような浴室サウナ装置の使用に際し、使用者が操作パネル２０により浴室サウナ装置の起動操作を行うと、制御部１２によって上記動作が開始されることで、加熱加湿手段であるサウナユニット本体１によるユニットバスルーム１０２内の空気への加熱加湿が開始される。これと同時に、この起動操作に連動して制御部１２によって温水遮断弁１９が開かれ、給湯器１０から温水供給管１８を通って温水噴射ノズル１７へ温水が供給される。供給された温水は、ユニットバスルーム１０２のカウンター部１０３、天井面２２、浴槽２３のバスエプロン部２４に設置された温水噴射ノズル１７より、ユニットバスルーム１０２を形成する面である側壁面２５、床面２６に噴射される。その後所定の任意の一定時間が経過すると、制御部１２によって温水遮断弁１９が閉じられ、温水噴射ノズル１７からの温水の噴射が停止される。
【００４６】
また、温水噴射ノズル１７から温水を噴射するか否かは、サウナユニット本体１によるユニットバスルーム１０２内の空気への加熱及び加湿の開始前及び開始後における任意の時間において、操作パネル２０による操作で使用者が選択できるようになっている。
【００４７】
また、サウナユニット本体１によるユニットバスルーム１０２内の空気への加熱加湿の開始後、空気温度センサー２１が検知した温度があらかじめ設定された温度に達した場合には、温水噴射ノズル１７から温水噴射後所定の一定時間が経過する前であっても、その信号に基づいて制御部１２によって温水遮断弁１９が閉じられ、温水噴射ノズル１７からの温水の噴射が停止される。
【００４８】
先に述べたように、図１０、１１に示す従来の技術による浴室サウナ装置では、スチーム吹出口１０６から吹き出される空気の保有する熱が、ユニットバスルーム１０２の側壁面、床面、天井面等の温度上昇に消費されたり、スチーム吹出口１０６から吹き出される空気に含まれる水蒸気が、ユニットバスルーム１０２の側壁面、床面、天井面等に結露するために、起動時間、すなわちサウナとして利用するのに好適な条件までユニットバスルーム１０２内の空気を加熱加湿するのに要する時間が長いという課題があった。
【００４９】
これに対し本実施の形態の浴室サウナ装置では、サウナユニット本体１によるユニットバスルーム１０２内の空気への加熱及び加湿が開始されるのと同時に温水噴射ノズル１７から温水を噴射して、ユニットバスルーム１０２を形成する面である側壁面２５及び床面２６を任意の一定時間温水によって加熱する。このように、空気よりも比熱の大きい水（温水）を側壁面２５及び床面２６に対して噴射することで、加熱加湿空気のみをユニットバスルーム１０２内に供給する場合よりも速く側壁面２５及び床面２６を昇温することができる。このため、吹出し口７から吹き出される加熱加湿された空気の保有する熱がユニットバスルーム１０２の側壁面２５、床面２６の温度上昇に消費されたり、スチーム吹出口１０６から吹き出される空気に含まれる水蒸気が、ユニットバスルーム１０２の側壁面２５、床面２６に結露することを大幅に減少させることができるため、ユニットバスルーム１０２内の空気を迅速に加熱加湿することができ、起動時間を短かくすることができる。
【００５０】
なお、本実施の形態では、加熱加湿手段であるサウナユニット本体１によってユニットバスルーム１０２内の空気への加熱及び加湿が開始されるのと同時に温水噴射ノズル１７から一定時間温水を噴射しているが、これ以外にも、サウナユニット本体１によるユニットバスルーム１０２内の空気への加熱及び加湿の開始前から、加熱及び加湿の開始後ユニットバスルーム１０２内の空気がサウナ浴に適した温湿度条件に達するまでの任意の一定期間において、任意の一定時間温水を噴射すればなんら問題はなく、本実施の形態と同様の効果を得ることができる。
【００５１】
なお、本実施の形態では、温水噴射ノズル１７から側壁面２５及び床面２６に温水を噴射しているが、温水を噴射する部位はこれに限ったものではなく、ユニットバスルーム１０２の天井面２２やカウンター部１０３の表面など、ユニットバスルーム１０２を形成する面であれば何ら問題はなく、本実施の形態と同様の効果を得ることができる。また、本実施の形態では、温水噴射ノズル１７をユニットバスルーム１０２の天井面２２、カウンター部１０３、浴槽２３のバスエプロン部２４に設置しているが、ユニットバスルーム１０２内の任意の場所に設置したりサウナユニット本体１に設置するなど、側壁面２５、床面２６、天井面２２等のユニットバスルーム１０２を形成する面を加熱できれば他の場所であっても何ら問題はなく、本実施の形態と同様の効果を得ることができる。また、温水噴射ノズル１７の設置個数（本実施の形態では四個）、温水噴射ノズル１７から温水を噴射する時間、温水噴射ノズル１７から温水を噴射する方向、噴射する温水の温度、噴射量は、ユニットバスルーム１０２の大きさや形状、浴室サウナ装置の加熱加湿能力に応じて、所望の起動時間となるように適宜設定すればよい。
【００５２】
なお、本実施の形態では、温水噴射ノズル１７から温水を噴射するか否かを操作パネル２０による操作で使用者が選択できるように構成しているが、これに限らず、必ず温水噴射ノズル１７から温水を噴射する構成としても何ら問題はなく、本実施の形態と同様の効果を得ることができる。しかしながら、温水噴射ノズル１７から温水を噴射するか否かを使用者が選択できるようにすれば、使用者が必要と判断した場合にだけ温水を噴射することで、浴室内空気を迅速に加熱加湿することができ、かつより経済的な浴室サウナ装置が得られるため、本実施の形態の方が好ましい。
【００５３】
なお、本実施の形態では、ユニットバスルーム１０２内の空気温度を検知する空気温度センサー２１を設け、サウナユニット本体１によるユニットバスルーム１０２内の空気への加熱加湿の開始後、空気温度センサー２１が検知した温度があらかじめ設定された温度に達した場合に温水噴射ノズル１７からの温水の噴射を停止するようにしているが、空気温度センサー２１を設けない構成としてもよい。しかしながら、本実施の形態のように構成すれば、噴射する温水の使用量を必要最小限にでき、より経済的な浴室サウナ装置が得られるので本実施の形態の方が好ましい。
【００５４】
なお、本実施の形態では、図２に示すように空気温度センサー２１を吸込み口６に設置しているが、これに限らず、ユニットバスルーム１０２内の任意の位置など、ユニットバスルーム１０２内の空気の温度を検知できる場所であればどこでも構わない。
【００５５】
なお、本実施の形態では、図３に示すように、加湿部３の中空糸２７内部に空気を流通させているが、これを中空糸２７の内部に温水を流通させる構成としても何ら問題はなく、本実施の形態と同様の効果を得ることができる。
【００５６】
また、本実施の形態では、図３に示すように、加湿部３において温水と空気を向流となるように流通しているが、これを並流となるように流通させても何ら問題はなく、本実施の形態と同様の効果を得ることができる。
【００５７】
なお、本実施の形態では、図３に示すように、透湿性を有する多孔性材料を管状に形成した中空糸２７を使用した加湿部３によって加熱加湿した空気をユニットバスルーム１０２に吹き出すことでユニットバスルーム１０２内をサウナ空間としているが、図１１に示す従来の浴室サウナ装置と同様に、熱交換促進部材上に温水を噴出させることで発生する水蒸気を送風ファンで浴室に吹出す方法や、温水をノズルから直接浴室内へ噴霧する方法など、浴室内を加熱加湿できればどのような方法であっても何ら問題はなく、本実施の形態と同様の効果を得ることができる。
【００５８】
なお、本実施の形態における熱源としての給湯器１０としては、都市ガスやプロパンガスを用いたガス給湯器や電気ヒーターを用いた電気温水器など、温水を供給できるものであればどのようなものを用いても何ら問題はなく、本実施の形態と同様の効果を得ることができる。
【００５９】
また、本実施の形態では、給湯器１０から送られてくる温水の熱を用いて熱交換器１１において加湿温水回路４内部の温水を加熱しているが、熱交換器１１による加熱にかえてバーナーや電気ヒーターによって加熱を行っても何ら問題はなく、本実施の形態と同様の効果を得ることができる。
【００６０】
なお、本発明におけるサウナ空間とは、通常空間よりも高温、高湿で、使用者の発汗が促進される空間であり、望ましくは人体の体温よりも温度が高く、通常空間よりも絶対湿度の高い空間であり、一例としては４０℃、相対湿度７０％以上程度の空間である。ただし、人体からの発汗が促進される空間であれば良く、温度、湿度とも使用者の好みに合わせて変化させられることが望ましい。
【００６１】
（実施の形態２）
以下、本発明の実施の形態２について図面とともに説明する。
【００６２】
本実施の形態における浴室サウナ装置は、温水噴射手段の少なくとも一個が、浴室内に設置されたシャワーである点で、図１に示す実施の形態１に係る浴室サウナ装置とは異なっているが、作用効果の大部分は実施の形態１と類似である。したがって異なる点を中心に本実施の形態を説明し、実施の形態１と同一の部分については同一番号を付し、詳細な説明は省略する。
【００６３】
図４は実施の形態２に係る浴室サウナ装置の構成図である。本実施の形態では、少なくとも一個の温水噴射ノズル１７（本実施の形態では四個）に加えて、図２に示すようなユニットバスルーム１０２内に設置された少なくとも一個のシャワー３４（本実施の形態では一個）を温水噴射手段として併用しており、シャワー３４と給湯器１０を温水供給管１８によって配管接続して、給湯器１０から温水供給管１８を介して温水噴射ノズル１７とシャワー３４へ温水が供給される。ここで、シャワー３４を通常使用する際に用いる止水ノブ３５とは無関係に、温水遮断弁１９によって温水の供給および停止が行えるように、シャワー３４と温水供給管１８が配管接続されている。
【００６４】
本実施の形態では、上記のように構成することで、温水噴射ノズル１７に加えてシャワー３４からも温水が噴射される。このように、温水噴射ノズル１７に加えて既存の浴室設備であるシャワー３４を温水の噴射に有効に活用してユニットバスルーム１０２を形成する面を一定時間温水によって加熱することで、ユニットバスルーム１０２内の空気をさらに迅速に加熱加湿することができ、一層起動時間を短かくすることができる。また、このように構成することで特に床面をより効果的に加熱できるため、床面が冷たいために入浴者が不快感を感じることを解消するのに有効である。
【００６５】
なお、本実施の形態では４個の温水噴射ノズル１７と1個のシャワー３４を設け、その全てから温水を噴射しているが、温水噴射ノズル１７およびシャワー３４の設置個数はこれに限ったものではなく、それぞれ他の設置個数であっても何ら問題はない。例えば図５に示すように、温水噴射ノズル１７を設けずに、シャワー３４からのみ温水を噴射する構成としても何ら問題はなく、本実施の形態と同様の効果を得ることができる。この様に構成することで、浴室サウナ装置の取付け工事費や材料費の低減も可能となる。
【００６６】
（実施の形態３）
以下、本発明の実施の形態３について図面とともに説明する。
【００６７】
本実施の形態における浴室サウナ装置は、実施の形態１の構成に加えて、温水供給管１８によってユニットバスルーム１０２を形成する面を加熱する構成としたものであって、作用効果の大部分は実施の形態１と類似である。したがって異なる点を中心に本実施の形態を説明し、実施の形態１と同一の部分については同一番号を付し、詳細な説明は省略する。
【００６８】
図６は、本発明の実施の形態３に係る浴室サウナ装置の設置状況を示す概略図である。図６に示すように、本実施の形態では、温水噴射ノズル１７に温水を供給する温水供給管１８が、ユニットバスルーム１０２の側壁面２５、床面２６、カウンター部１０３、および浴槽２３のバスエプロン部２４において、その浴室外側の表面に密着させて、あるいはその内部に埋め込んで、蛇行しながら配設されている。
【００６９】
このように構成することで、温水噴射ノズル１７から噴射される温水が温水供給管１８内を通過する際に、温水の熱が浴室を形成するユニットバスルーム１０２の側壁面２５、床面２６、カウンター部１０３、浴槽２３のバスエプロン部２４に伝熱する。その結果、ユニットバスルーム１０２を形成する面である側壁面２５、床面２６、カウンター部１０３、浴槽２３のバスエプロン部２４を加熱することができ、起動時間を短かくすることができる。
【００７０】
なお、図６に示す本実施の形態における浴室サウナ装置では、一例として略直方体形状の浴室を形成するユニットバスルーム１０２の側壁面２５の四面のうちの一面、床面２６、カウンター部１０３および浴槽２３のバスエプロン部２４に温水供給管１８を蛇行配設しているが、他の側壁面２５や天井面２２に配設するなど、浴室の形状にかかわらず浴室を形成する面であれば他のどのような部位に配設しても何ら問題はなく、本実施の形態と同様の効果を得ることができる。
【００７１】
なお、図６に示す本実施の形態における浴室サウナ装置では、温水供給管１８を蛇行形状に配設しているが、これを図７に示すように、略平行に設けた配管に温水を分流するように配設するなど、ユニットバスルーム１０２を形成する面を加熱できる形状、より好ましくは均一に加熱できる形状であればどの様な形状であっても何ら問題はなく、本実施の形態と同様の効果を得ることができる。
【００７２】
（実施の形態４）
以下、本発明の実施の形態４について図面とともに説明する。
【００７３】
本実施の形態における浴室サウナ装置は、実施の形態１の構成に加えて、ユニットバスルーム１０２を形成する面の温度を検知する温度検知手段と、温水噴射ノズル１７から温水を噴射する時間を変化させる噴射時間可変手段と、温水噴射ノズル１７から噴射する温水の噴射量を変化させる噴射量可変手段と、温水噴射ノズル１７から噴射する温水の温度を変化させる噴射温度可変手段と、どの温水噴射ノズル１７から温水を噴射するかを任意に選択する選択手段を備えた構成としたものであって、作用効果の大部分は実施の形態１と類似である。したがって異なる点を中心に本実施の形態を説明し、実施の形態１と同一の部分については同一番号を付し、詳細な説明は省略する。
【００７４】
図８は実施の形態４に係る浴室サウナ装置の構成図である。図８に示すように、本実施の形態における浴室サウナ装置は、側壁面２５、床面２６、天井面２２等のユニットバスルーム１０２を形成する面の温度を検知する温度検知手段としての温度センサー３６、温水供給管１８に設けられ温水噴射ノズル１７から噴射する温水の噴射量を変化させる噴射量可変手段としての温水流量制御弁３７、四個の温水噴射ノズル１７に供給する温水を個別に遮断することでどの温水噴射ノズル１７から温水を噴射するかを任意に選択する選択手段としての副温水遮断弁３８を備えている。温度センサー３６は、図９に示すように、ユニットバスルーム１０２の側壁面２５に設置されている。さらに、給湯器１０は都市ガスやプロパンガスを用いるガス給湯器であって、給湯器１０に設けられた図示しない水加熱用の加熱バーナーに供給するガスの流量を制御して給湯器１０における水への加熱量を変化させる噴射温度可変手段としてのガス流量制御弁３９を備えている。さらに噴射時間可変手段として温水遮断弁１９を備えている。
【００７５】
サウナユニット本体１によるユニットバスルーム１０２内の空気への加熱及び加湿の開始前におけるユニットバスルーム１０２を形成する面の温度を温度センサー３６が検知すると、その情報が制御部１２に送られる。制御部１２ではその情報に基づき、温度センサー３６が検知した温度に応じて、温水噴射ノズル１７から温水を噴射する時間、温水噴射ノズル１７から噴射する温水の噴射量及び温度、どの温水噴射ノズル１７から温水を噴射するかの各条件について、浴室サウナ装置の起動時間を最も短くできる最適条件を決定する。そして制御部１２は、決定した最適条件をもとに温水噴射ノズル１７から噴射する温水の噴射量が決定した最適条件となるように温水流量制御弁３７を操作し、また温水噴射ノズル１７から噴射する温水の温度が決定した最適条件となるようにガス流量制御弁３９を操作して給湯器１０における水への加熱量を制御し、さらに四個の温水噴射ノズル１７のうち決定した最適な設置位置および個数の温水噴射ノズル１７から温水が噴射されるように副温水遮断弁３８を操作する。こうして、選択した最適な温水噴射ノズル１７から、最適な流量および温度で温水の噴射が開始される。さらに制御部１２が決定した最適な温水噴射時間が経過すると、制御部１２は噴射時間可変手段としての温水遮断弁１９を閉止して温水噴射ノズル１７からの温水の噴射を停止する。
【００７６】
浴室サウナ装置の起動時間が最も短くなるような温水の噴射条件、すなわち温水の噴射時間、温水温度、温水噴射量、どの温水噴射ノズル１７から温水を噴射するかの各条件には、サウナユニット本体１によるユニットバスルーム１０２内の空気への加熱及び加湿の開始前におけるユニットバスルーム１０２を形成する面の温度によって最適条件が存在する。上記のように本実施の形態では、サウナユニット本体１によるユニットバスルーム１０２内の空気への加熱及び加湿の開始前におけるユニットバスルーム１０２を形成する面の温度に応じた最適条件で温水噴射ノズル１７から温水を噴射するため、起動時間を常に最短にすることができる。
【００７７】
また、本実施の形態では、サウナユニット本体１によるユニットバスルーム１０２内の空気への加熱及び加湿の開始前において温度センサー３６が検知したユニットバスルーム１０２を形成する面の温度が、あらかじめ設定した任意の温度よりも低い場合に、温水噴射ノズル１７から温水が噴射される。このように制御することで、必要な場合にのみ温水を噴射することができるので、より経済的な浴室サウナ装置が得られる。
【００７８】
なお、温水の最適な噴射条件は、制御部１２にあらかじめ記憶された算出式を用いたり、あらかじめ用意されたデータテーブルをもとに決定すればよい。
【００７９】
なお、本実施の形態では、温度センサー３６を側壁面２５に設置しているが、設置場所はこれに限ったものではなく、ユニットバスルーム１０２内の任意の位置でユニットバスルーム１０２を形成する面の温度を検知できる場所であればどこでも構わない。
【００８０】
なお、本実施の形態では、温水遮断弁１９を閉止することによって温水噴射ノズル１７からの温水噴射の停止を行っているが、温水遮断弁１９を設けずに全ての副温水遮断弁３８を閉止する構成としたり、あるいは温水遮断弁１９を設けずに温水流量制御弁３７を全閉する構成としても何ら問題はなく、本実施の形態と同様の効果を得ることができる。
【００８１】
なお、本実施の形態では、サウナユニット本体１によるユニットバスルーム１０２内の空気への加熱及び加湿の開始前において、温度センサー３６が検知したユニットバスルーム１０２を形成する面の温度に応じて、噴射量可変手段としての温水流量制御弁３７、選択手段としての副温水遮断弁３８、噴射温度可変手段としてのガス流量制御弁３９、噴射時間可変手段としての温水遮断弁１９を制御部１２によって操作しているが、このかわりに使用者が操作パネル２０を操作して温水の噴射条件を設定し、この設定をもとに制御部１２によって、温水流量制御弁３７、副温水遮断弁３８、ガス流量制御弁３９、温水遮断弁１９を操作する構成としても何ら問題はなく、本実施の形態と同様の効果を得ることができる。
【００８２】
なお、本実施の形態では、噴射量可変手段、選択手段、噴射温度可変手段、噴射時間可変手段を全て備えた構成としているが、上記各手段の一部を選択して設ける構成としもよい。
【００８３】
なお、本実施の形態では、給湯器１０にガス給湯器を用い、給湯器１０に設けられた水加熱用の加熱バーナーに供給するガスの流量を制御するガス流量制御弁３９を温水温度可変手段としているが、これの代わりに給湯器１０として電気ヒーター式の電気温水器を用いて電気ヒーターの出力を制御したり、給湯器１０において温水と冷水を混合する手段を設け、温水と冷水の混合比を変化させたり、温水供給管１８にバーナーや電気ヒーターを設け、温水供給管１８内の温水への加熱量を変化させる構成とするなど、温水噴射弁１７から噴射する温水の温度を変化できるものであればどのような構成としても何ら問題はなく、本実施の形態と同様の効果を得ることができる。
【００８４】
なお、温水噴射ノズル１７の設置個数、設置場所、温水噴射ノズル１７からの温水が噴射される部位は、ユニットバスルーム１０２の大きさや形状、浴室サウナ装置の加熱加湿能力に応じて適宜設定すればよい。
【００８５】
なお、これまで説明した実施の形態１、２、３および４はそれぞれを組み合わせて用いることもできる。
【産業上の利用可能性】
【００８６】
本発明に係る浴室サウナ装置は、浴室内空気を迅速に加熱加湿することができ、起動時間を短くできるものであり、一般家庭やホテル客室等のユニットバスルームのみならず、宿泊施設の大型浴場等の浴室サウナ装置としての用途に適用できる。
【図面の簡単な説明】
【００８７】
【図１】本発明の実施の形態１に係る浴室サウナ装置の構成図
【図２】同浴室サウナ装置の設置状況を示す概略図
【図３】同浴室サウナ装置における加湿部の要部断面図
【図４】本発明の実施の形態２に係る浴室サウナ装置の構成図
【図５】同浴室サウナ装置の別の構成を示した構成図
【図６】本発明の実施の形態３に係る浴室サウナ装置の設置状況を示す概略図
【図７】同浴室サウナ装置の別の設置状況を示す概略図
【図８】本発明の実施の形態４に係る浴室サウナ装置の構成図
【図９】同浴室サウナ装置の設置状況を示す概略図
【図１０】従来の技術による浴室サウナ装置の設置状況を示す概略図
【図１１】同サウナ装置の内部構造の概略を示す要部断面図
【符号の説明】
【００８８】
１  サウナユニット本体
１７  温水噴射ノズル
１８  温水供給管
１９  温水遮断弁
２１  空気温度センサー
３４  シャワー
３６  温度センサー
３７  温水流量制御弁
３８  副温水遮断弁
３９  ガス流量制御弁
【図１】
2005278782.tif 000003
【図２】
2005278782.tif 000004
【図３】
2005278782.tif 000005
【図４】
2005278782.tif 000006
【図５】
2005278782.tif 000007
【図６】
2005278782.tif 000008
【図７】
2005278782.tif 000009
【図８】
2005278782.tif 000010
【図９】
2005278782.tif 000011
【図１０】
2005278782.tif 000012
【図１１】
2005278782.tif 000013